(57)【要約】【課題】バックライトユニット上の光量分布を領域別に明確に区分すると共に、バックライト基板の温度上昇を抑制するバックライトユニットであって、液晶表示装置用のバックライトユニットを提供する。【解決手段】本発明に係るバックライトユニット６は、バックライト基板８と、該バックライト基板８の一方の面上に配置された複数のＬＥＤ１０とを備えたバックライトユニット６であって、バックライト基板８には、複数のＬＥＤ１０間に配置された、金属を含む放熱板１４が取り付けられている。したがって、複数のＬＥＤ１０にて発生した熱を放熱板１４を介して従来よりも効率よく放熱することができる。しかも、複数のＬＥＤ１０と放熱板１４とがバックライト基板８の同一面上に配置されるため、バックライトユニット６を薄くすることができる。すなわち、厚みを増加させることなく温度上昇を抑制できる。【選択図】図１
2010129359.tif 000002
【特許請求の範囲】
【請求項１】
基板と、該基板の一方の面上に配置された複数の光源とを備えたバックライトユニットであって、
上記基板には、上記複数の光源間に配置された、金属を含む放熱板が取り付けられている、
ことを特徴とするバックライトユニット。
【請求項２】
上記放熱板は、金属により形成されている、
ことを特徴とする請求項１に記載のバックライトユニット。
【請求項３】
上記放熱板は、金属により表面コーティングされている、
ことを特徴とする請求項１に記載のバックライトユニット。
【請求項４】
上記金属は、銅またはアルミニウムである、
ことを特徴とする請求項１から３までの何れか１項に記載のバックライトユニット。
【請求項５】
上記基板は、長方形であり、
上記放熱板が、上記基板の短辺または長辺と平行に配置されている、
ことを特徴とする請求項１から４までの何れか１項に記載のバックライトユニット。
【請求項６】
上記基板の短辺と平行な複数の上記放熱板と、上記基板の長辺と平行な複数の上記放熱板とがマトリックス状に配置されている、
ことを特徴とする請求項５に記載のバックライトユニット。
【請求項７】
上記放熱板は、上記基板をその長辺と平行な直線で分割して得られる２つの領域のうちの何れか一方の領域にのみ配置されている、
ことを特徴とする請求項５に記載のバックライトユニット。
【請求項８】
上記放熱板は、上記基板の外周にのみ配置されている、
ことを特徴とする請求項５に記載のバックライトユニット。
【請求項９】
上記放熱板には、ヒートパイプが取り付けられている、
ことを特徴とする請求項１から８までの何れか１項に記載のバックライトユニット。
【請求項１０】
上記ヒートパイプの放熱部は、上記基板の外部に配置されている、
ことを特徴とする請求項９に記載のバックライトユニット。
【請求項１１】
上記放熱部には、フィンが設けられている、
ことを特徴とする請求項１０に記載のバックライトユニット。
【請求項１２】
請求項１から１１までの何れか１項に記載のバックライトユニットを備えた液晶表示装置であって、上記放熱板により区分された領域毎に上記複数の光源を駆動することによって、液晶パネルに光を照射することを特徴とする液晶表示装置。
【発明の詳細な説明】
【技術分野】
【０００１】
本発明は、液晶表示装置などに内蔵されるバックライトユニットに関するものである。また、バックライトユニットが内蔵された液晶表示装置に関する。
【背景技術】
【０００２】
近年、画像表示装置の薄型化およびハイクオリティ化の傾向により、テレビやモニターなどに液晶表示装置が多く用いられている。液晶表示装置の液晶パネルは自ら発光することがないため、バックライトユニット（以下ＢＬＵとも称する）を必要とする。ＢＬＵに用いる光源としては、冷陰極蛍光ランプ（ＣＣＦＬ）が主に用いられてきた。しかしながら、ＣＣＦＬを用いたＢＬＵは水銀による環境汚染、応答速度の遅さ、および、部分駆動が困難であるといった問題点があった。このため最近では、ＢＬＵに用いる光源はＣＣＦＬからＬＥＤ（発光ダイオード）に移行される傾向にある。
【０００３】
一般的にＬＥＤを用いたＢＬＵは、直下型ＢＬＵ（直下型方式）とエッジ型ＢＬＵ（サイド方式）とに分類される。直下型ＢＬＵにおいては、基板の液晶パネル対向面上に複数のＬＥＤを面状配置し、これらのＬＥＤから発せられた光を液晶パネルの背面に直接照射する。一方、エッジ型ＢＬＵにおいては、導光板の側面にＬＥＤを線状配置し、これらのＬＥＤから発せられた光を導光板の上面から液晶パネルの背面に照射する。
【０００４】
直下型ＢＬＵにおいては、より鮮明な画像を表示するために、部分駆動方式により駆動されることが多い。直下型ＬＥＤの代表的な部分駆動方式としては、ローカルディミング（ｌｏｃａｌ  ｄｉｍｍｉｎｇ）やインパルシブ（ｉｍｐｕｌｓｉｖｅ）などが挙げられる。
【０００５】
ローカルディミング駆動方式は、液晶パネルを複数の領域に分割したうえで、表示しようとする画像の各領域における輝度に応じて、バックライト基板上に配置されたＬＥＤの光量を、領域毎に個別にを調整する駆動方式である。これにより、明るく表示すべき部分はさらに明るく、また暗く表示すべき部分はさらに暗く表示することができる。一方、インパルシブ駆動方式は、上下に配列された複数の光源領域を順次点灯することによって、液晶パネルにおける液晶シャッターの開閉と光源の点灯とを時間的に同期させる駆動方式である。
【０００６】
直下型ＢＬＵを備えた液晶表示装置は、例えば、液晶パネル、ＢＬＵ、およびこれらの間に配置された多数の光学シートを備えており、ＢＬＵはさらにバックライト基板と、該バックライト基板上に配列された複数の赤色、緑色、および青色ＬＥＤを備えている。また、バックライト基板にはＬＥＤの制御および駆動をするための回路部が設けられている。
【０００７】
図７は、ローカルディミングまたはインパルシブなどの部分（領域別）駆動方式について説明するための図である。図７（ａ）は、液晶パネルに表示すべき画像の明暗分布を示し、図７（ｂ）は、図７（ａ）に対応するＢＬＵのＬＥＤ点灯状態を示し、図７（ｃ）は、ＢＬＵ上の光量分布を示す図である。図７（ａ）に示すように、液晶パネルに表示すべき画像３１が暗い領域３１ａおよび３１ｄと、明るい領域３１ｂおよび３１ｃとに区分された明暗分布（または画像信号分布）を示した場合に、バックライト基板３２上のＬＥＤを、図７（ｂ）に示すように領域別に駆動することによって、表示される画像をより鮮明にすることができる。すなわち、明るい領域３１ｂおよび３１ｃの直下にあるＬＥＤ群３２ｂおよび３２ｃのみを点灯して、暗い領域３１ａおよび３１ｄの直下にあるＬＥＤ群３２ａおよび３２ｄは消灯することによって、明るい領域３１ｂおよび３１ｃをより明るく、暗い領域３１ａおよび３１ｄをより暗く表示することができる。
【０００８】
しかしながら、このような部分駆動方式においても、ＢＬＵ上の光量分布が領域別に明確に区分されずに、部分駆動による効果が十分得ることができないという問題があった。具体的には、図７（ｃ）に示したように、暗い領域３１ａおよび３１ｄに対応する低輝度領域３３ｃと、明るい領域３１ｂおよび３１ｃに対応する高輝度領域３３ａとの間に、ＬＥＤ群３２ｂおよび３２ｃから発せられた光が漏れ出し、輝度が緩やかに変化する中間領域３３ｂが形成されてしまう。つまり、明るい領域３１ｂおよび３１ｃの直下にあるＬＥＤ群３２ｂおよび３２ｃのみを点灯しても、ＢＬＵ３３上での光量分布として、低輝度領域と高輝度領域とを明確に区分することができない。
【０００９】
特許文献１には、直下型ＢＬＵ上の光量分布を領域毎に明確に区分するために、バックライト基板上に設けられたＬＥＤの間に隔壁を配置する技術が開示されている。すなわち、ＬＥＤの間に光を反射または吸収する隔壁を配置することによって、ＢＬＵ上の光量分布を各光源領域別に明確に区分する。
【特許文献１】特開２００７−２８６６２７号公報（公開日：２００７年１１月１日）
【発明の開示】
【発明が解決しようとする課題】
【００１０】
しかしながら、特許文献１に記載の技術ではバックライト基板の温度上昇に起因して、ＬＥＤの劣化が生じるという問題があった。また、バックライト基板の温度上昇が空間的に一様でないために色ムラが生じるという問題があった。更に、このような問題を回避するために、バックライト基板の裏面に放熱機構を設けると、バックライトユニットの厚みが増すという新たな問題を招来する。
【００１１】
本発明は、上記の問題に鑑みてなされたものであり、その目的は、光量分布を領域毎に区分可能なバックライトユニットであって、厚みを増加させることなく温度上昇を抑制したバックライトユニットを提供することにある。
【課題を解決するための手段】
【００１２】
上記課題を解決するために、本発明に係るバックライトユニットは、基板と、該基板の一方の面上に配置された複数の光源とを備えたバックライトユニットであって、上記基板には、上記複数の光源間に配置された、金属を含む放熱板が取り付けられている、ことを特徴としている。
【００１３】
上記放熱板は、金属を含むので、金属を含まない単なる遮光板と比べて熱伝導性が高い。したがって、上記の構成によれば、上記複数の光源にて発生した熱を、上記放熱板を介して従来よりも効率よく放熱することができる。しかも、上記の構成によれば、上記複数の光源と上記放熱板とが上記基板の同一面上に配置されるため、バックライトユニットを薄くすることができる。すなわち、厚みを増加させることなく温度上昇を抑制する、という効果を奏する。
【００１４】
本発明に係るバックライトユニットの上記放熱板は、金属により形成されている、ことが好ましい。
【００１５】
上記の構成によれば、上記放熱板の熱伝導性が更に向上するので、放熱効果を更に高めることができる、という効果を奏する。
【００１６】
本発明に係るバックライトユニットの上記放熱板は、金属により表面コーティングされている、ことが好ましい。
【００１７】
上記の構成によれば、放熱板内部を金属よりも軽い材料で構成することにより、放熱効果を犠牲にすることなくバックライトユニットを軽量化することができる、という更なる効果を奏する。
【００１８】
なお、上記放熱板に含まれる金属としては、例えば、銅やアルミニウムなどを挙げることができる。ただし、上記基板よりも熱伝導率が高い金属であれば何でもよく、これらに限定されない。
【００１９】
本発明に係るバックライトユニットの上記基板は、長方形であり、上記放熱板が、上記基板の短辺または長辺と平行に配置されている、ことが好ましい。
【００２０】
上記の構成によれば、上記放熱板は、上記基板の短辺または長辺と平行に配置されているため、インパルシブ駆動方式によって上記光源を駆動する場合に特に有用である、という更なる効果を奏する。
【００２１】
本発明に係るバックライトユニットは、上記基板の短辺と平行な複数の上記放熱板と、上記基板の長辺と平行な複数の上記放熱板とがマトリックス状に配置されている、ことが好ましい。
【００２２】
上記の構成によれば、上記放熱板は、上記基板上においてマトリックス状に配置されているため、ローカルディミング駆動方式によって上記光源を駆動する場合に特に有用である、という更なる効果を奏する。
【００２３】
本発明に係るバックライトユニットの上記放熱板は、上記基板をその長辺と平行な直線で分割して得られる２つの領域のうちの何れか一方の領域にのみ配置されている、ことが好ましい。
【００２４】
バックライトユニットは、通常、基板の短辺が床と略垂直に、基板の長辺が床と略平行になるようして使用される。このとき、基板をその長辺と平行な直線で分割して得られる２つの領域を比較すると、天井側の領域の方が床側の領域よりも温度上昇の程度が大きい。ところで、上記の構成によれば、上記基板をその長辺と平行な直線で分割して得られる２つの領域を比較すると、放熱板が配置されている領域の方が放熱板が配置されていない領域よりも放熱効果が高い。したがって、放熱板が配置されている方の領域が天井側にくるようにバックライトユニットを配置した場合、上記基板の温度を略一様にすることができる。つまり、温度上昇による色ムラを軽減する、という更なる効果を奏する。
【００２５】
本発明に係るバックライトユニットの上記放熱板は、上記基板の外周にのみ配置されている、ことが好ましい。
【００２６】
上記の構成によれば、上記放熱板は、上記基板の外周にのみ配置されているため、効率的に上記放熱板を配置することができる、という更なる効果を奏する。
【００２７】
本発明に係るバックライトユニットの上記放熱板には、ヒートパイプが取り付けられている、ことが好ましい。
【００２８】
上記の構成によれば、上記放熱板には、ヒートパイプが取り付けられているため、放熱板のみを配置した場合よりも、より高い放熱効果が得られる、という更なる効果を奏する。
【００２９】
本発明に係るバックライトユニットの上記ヒートパイプの放熱部は、上記基板の外部に配置されている、ことが好ましい。
【００３０】
上記の構成によれば、上記放熱部は上記基板の外部に配置されているため、上記基板の外部に熱を逃がすことができる。したがって、上記基板における熱を効率良く逃がすことができる、という更なる効果を奏する。
【００３１】
本発明に係るバックライトユニットの上記放熱部には、フィンが設けられている、ことが好ましい。
【００３２】
上記の構成によれば、上記放熱部にはフィンが設けられているため、上記放熱部の表面積は大きくなる。したがって、上記基板における熱をより効率的に逃がすことができる、という更なる効果を奏する。
【００３３】
本発明に係るバックライトユニットの上記放熱板は、可視光反射率が５０％以下である、ことが好ましい。
【００３４】
上記の構成によれば、ある光源から放射され、その光源を取り囲む放熱板に反射された反射光が、それらの放熱板に取り囲まれた領域の外部に漏れることを防止できる。したがって、バックライトユニット上の光量分布を放熱板により区画された領域毎により明確に区分することができる、という更なる効果を奏する。
【００３５】
本発明に係るバックライトユニットの上記放熱板の上記基板に対する垂直方向の幅は、５ｍｍ以上である、ことが好ましい。
【００３６】
上記の構成によれば、ある光源から放射された光が、その光源を取り囲む放熱板を超えて、それらの放熱板に取り囲まれた領域の外部に漏れることを防止できる。したがって、バックライトユニット上の光量分布を放熱板により区画された領域毎により明確に区分することができる、という更なる効果を奏する。
【００３７】
なお、上記バックライトユニットを備えた液晶表示装置であって、上記放熱板により区分された領域毎に上記複数の光源を駆動することによって、液晶パネルに光を照射する液晶表示装置も本発明の範疇に含まれる。
【発明の効果】
【００３８】
本発明に係るバックライトユニットは、以上のように、基板と、該基板の一方の面上に配置された複数の光源とを備えたバックライトユニットであって、上記基板には、上記複数の光源間に配置された、金属を含む放熱板が取り付けられている。したがって、上記複数の光源にて発生した熱を、上記放熱板を介して従来よりも効率よく放熱することができる。しかも、上記の構成によれば、上記複数の光源と上記放熱板とが上記基板の同一面上に配置されるため、バックライトユニットを薄くすることができる。すなわち、厚みを増加させることなく温度上昇を抑制することができる。
【発明を実施するための最良の形態】
【００３９】
本発明の一実施形態について図面に基づいて説明すれば以下のとおりである。
【００４０】
（液晶表示装置１の構成）
まず、本実施形態に係る液晶表示装置１の構成について、図１を参照して説明する。図１は、液晶表示装置１の構成を示した断面図である。液晶表示装置１は、液晶パネル２と、バックライトユニット６と、液晶パネル２およびバックライトユニット６の間に配置された光学シート４と、を備えている。バックライトユニット６は直下型ＢＬＵであって、液晶パネル２の表示面側と反対側に配置されており、液晶パネル２の背面へ光を放射する。バックライトユニット６はさらに、バックライト基板８と、バックライト基板８上に配列された複数のＬＥＤ（発光ダイオード）１０と、ＬＥＤ１０を制御する制御部および駆動する駆動部を備えた回路部１２と、バックライト基板８上の複数のＬＥＤ１０間に配置された、金属を含む放熱板１４と、を備えている。放熱板１４は、バックライト基板８に対して略垂直に形成されており、例えばＣｕまたはＡｌといった金属により形成されている。なお、放熱板１４は、金属のみにより形成されている必要はなく、金属を含んでいればよい。例えば、ＣｕまたはＡｌといった金属により表面コーティングされたものであってもよい。
【００４１】
放熱板１４は金属を含むため、バックライト基板８表面の熱をバックライト基板８から液晶表示装置１内の大気中に放散することができる。大気中に放散された熱は対流によって鉛直方向上方に移動し、液晶表示装置１の外壁に形成されたスリット（不図示）から液晶表示装置１の外部に放散される。このように、放熱板１４によってバックライト基板８の温度上昇を抑制することによって、ＬＥＤ１０の劣化等の温度上昇に起因する問題を抑制できる。また、これにより、バックライト基板８裏面に温度上昇を抑制する部材を配置する必要がなくなるため、バックライトユニット６が厚くなることを抑制できる。
【００４２】
また、バックライト基板８は複数の光源領域に分割されており、各光源領域は少なくとも１つの赤色、緑色、および青色ＬＥＤ１０を備えている。赤色、緑色、および青色ＬＥＤ１０を用いることによって、バックライトユニット６は優れた色再現性を有する白色光を放射することができる。また、各光源領域は、青色のＬＥＤチップと黄色蛍光体を用いることによって得られた少なくとも１つの白色のＬＥＤ１０を備えていてもよい。
【００４３】
各光源領域は、ローカルディミング駆動方式またはインパルシブ駆動方式を具現するように回路部１２を制御することによって、各光源領域別に部分駆動することができる。ローカルディミング駆動方式においては、各光源領域のグレーレベル（分離輝度値）のピーク値に応じて、ＬＥＤ１０を制御および駆動することによって、各光源領域の輝度を制御する。具体的には、回路部１２が備える上記制御部が各光源領域におけるグレーレベルのピーク値に応じて、少なくとも一部の光源領域が他の光源領域とは異なる輝度を有するように上記駆動部の動作を制御し、上記駆動部は、上記制御部の制御によりＬＥＤ１０を駆動する。また、インパルシブ駆動方式においては、長方形のバックライト基板上において短辺または長辺と平行に配置されている複数の光源領域を順次に点灯する。
【００４４】
（放熱板１４による光量分布の効果）
放熱板１４は、部分駆動される各光源領域の境界部に配置されている。放熱板１４は、各光源領域のＬＥＤ１０から放射された光を吸収するため、該光が、その放射された光源領域から外側に漏れることを防止する。すなわち、放熱板１４を備えることにより、バックライトユニット６上の光量分布を各光源領域別に、より明確に区分できる。
【００４５】
放熱板１４は、可視光領域における反射率が低いことが好ましい。なぜなら、放熱板１４の反射率が低くなる程、あるＬＥＤ１０から放射され、そのＬＥＤ１０を取り囲む放熱板１４に反射された反射光が、それらの放熱板１４に取り囲まれた領域の外部に漏れることを防止できるからである。したがって、バックライトユニット６上の光量分布を放熱板１４により区画された領域毎に、より明確に区分することができる。具体的に言えば、放熱板１４の反射率は、可視光領域３６０ｎｍ〜８３０ｎｍにおいて、５０％以下であることが好ましい。
【００４６】
また、放熱板１４のバックライト基板８に対する垂直方向の幅は、より長いことが好ましい。なぜなら、放熱板１４の垂直方向の幅が長くなる程、あるＬＥＤ１０から放射された光が、その光源を取り囲む放熱板１４を超えて、それらの放熱板１４に取り囲まれた領域の外部に漏れることを防止できる。したがって、バックライトユニット６上の光量分布を放熱板１４により区画された領域毎に、より明確に区分することができるからである。具体的に言えば、放熱板１４のバックライト基板８に対する垂直方向の幅は、５ｍｍ以上であることが好ましく、１０ｍｍ以上であればより好ましい。
【００４７】
このことを、図２を参照して説明する。図２は、放熱板１４の高さに対するバックライトユニット６上の光量分布を示すグラフである。図２に示す点線ＢおよびＢ´はバックライト基板８上における放熱板１４の位置であり、Ｃは点灯した光源領域の位置を示す。図２に示すように、放熱板１４の高さが高くなる程、点灯した光源領域近辺（グラフ中央部）の輝度は高くなり、点灯していない光源領域近辺（グラフ両端部）の輝度は低くなる。すなわち、放熱板１４の高さが高くなる程、輝度がより明確に区分されている。
【００４８】
また、バックライトユニット６上の光量分布は、図１の矢印Ａに示す、バックライト基板８と光学シート４との間における、バックライト基板８に対する垂直方向の幅によっても影響を受ける。すなわち、放熱板１４のバックライト基板８に対する垂直方向の幅がより長く、かつ、バックライト基板８と光学シート４との間における、バックライト基板８に対する垂直方向の幅が短いほど、すなわち図１に示す矢印Ａ´の距離が短いほど、バックライトユニット６上の光量分布は明確になる。なお、バックライト基板８の放熱のみを目的とし、光量分布を目的としない場合には、放熱板１４の長さは考慮しなくてもよい。例えば、放熱板１４は５ｍｍ以下であってもよい。
【００４９】
（放熱板１４の配置）
次に、バックライト基板８上における放熱板１４の配置態様について図３を参照して説明する。図３は、放熱板１４が配置されたバックライト基板８の平面図である。図３（ａ）および（ｂ）に示すように、放熱板１４は長方形のバックライト基板８上において、バックライト基板８の短辺または長辺と平行に配置されている。このような配置態様は、特にインパルシブ駆動方式によってＬＥＤ１０を駆動する場合に特に有用である。
【００５０】
また、図３（ｃ）および（ｄ）に示すように、放熱板１４をマトリックス状に配置してもよい。このような配置態様は、特にローカルディミング駆動方式によってＬＥＤ１０を駆動する場合に特に有用である。また、図３（ｅ）に示すように、放熱板１４をバックライト基板８の外周にのみ配置してもよい。
【００５１】
ここで、バックライト基板８内における温度差について図４を参照して説明する。図４（ａ）は、液晶表示装置１を最終的に製品として鉛直方向に立てて使用する場合におけるバックライト基板８内の裏面温度の分布を示しており、図４（ｂ）はバックライト基板８の裏面温度の分布を示したグラフである。図４（ａ）に図示するＸは水平方向、Ｚは鉛直方向を表している。バックライト基板８周辺の空気の対流により、図４（ａ）に示すように、バックライト基板８上部の温度が、バックライト基板８下部の温度よりも高くなる。
【００５２】
また、バックライト基板８内に熱伝導部材を設けると、図４（ｂ）に点線で示すように、基板温度を均一化する効果は得られるものの、平均基板温度の低下には寄与しない。これに対し、バックライト基板８に放熱板１４を設けると、図４（ｂ）に鎖線で示すように、基板温度を均一化するとともに、平均基板温度を低下させるという効果が得られる。
【００５３】
以上のことから、バックライト基板８の鉛直方向上部に放熱板１４を配置する場合には、温度が高くなるバックライト基板８の上部領域（バックライト基板８をその長辺に平行な直線で分割して得られる天井側の領域であって、バックライト基板８の１／３以上を占める領域）に先端がはみ出るように放熱板１４を配置することが好ましい。この構成を、図３（ｆ）および（ｇ）に示す。図３（ｆ）および（ｇ）の矢印ＤおよびＤ´はバックライト基板８使用時における鉛直方向の高さを示しており、矢印ＥおよびＥ´は、バックライト基板８の上部領域を示している。図３（ｆ）および（ｇ）に示すように、放熱板１４は、バックライト基板８をその長辺と平行な直線で分割して得られる２つの領域のうちの何れか一方の領域にのみ配置されている。
【００５４】
次に、放熱板１４にヒートパイプ２０が取り付けられている場合について図５を参照して説明する。
【００５５】
まず、ヒートパイプ２０の基本的な構成について図５を参照して説明する。図５（ａ）に示すヒートパイプ２０は、入熱部２１と、放熱部２２と、入熱部２１および放熱部２２を接続する接続部２３とを備えている。ヒートパイプ２０をバックライト基板８使用時における水平方向に配置する場合には、放熱部２２を入熱部２１よりも鉛直方向に高くか、または同じ高さになるように配置する。また、放熱部２２は、バックライト基板８の外部に配置する。このため、バックライト基板８外部に熱を逃がすことができる。また、図５（ｂ）に示すように、放熱部２２にはフィン２４が設けられていてもよい。フィン２４が設けられていることにより、放熱部２２の表面積は大きくなる。したがって、バックライト基板８における熱をより効率的に逃がすことができる。
【００５６】
次に、バックライト基板８上におけるヒートパイプ２０の配置態様について図６を参照して説明する。図６は、ヒートパイプ２０が配置されたバックライト基板８の平面図である。図６（ａ）〜（ｇ）は、図３（ａ）〜（ｇ）に示した放熱板１４にヒートパイプ２０が取り付けられているバックライト基板８の平面図である。図６（ａ）および（ｆ）に示すように、ヒートパイプ２０を液晶表示装置１使用時における鉛直方向と平行に配置する場合には、入熱部２１をバックライト基板８内部に、放熱部２２をバックライト基板８鉛直方向上方の外部に配置する。また、図６（ｂ）〜（ｅ）および（ｇ）に示すように、ヒートパイプ２０を液晶表示装置１使用時における水平方向に配置する場合には、図６（ｈ）に示すように、２つのヒートパイプ２０の入熱部２１をバックライト基板８内部において接続し、放熱部２２はバックライト基板８外部に配置する。また、図６（ｃ）〜（ｅ）に示すように、液晶表示装置１使用時における水平方向の放熱板１４にはヒートパイプ２０を取り付け、鉛直方向には放熱板１４のみを配置してもよい。また、図６（ｆ）および（ｇ）に示す矢印ＦおよびＦ´はバックライト基板８使用時における鉛直方向の高さを示しており、矢印ＧおよびＧ´は、バックライト基板８の上部領域を示している。図６（ｆ）および（ｇ）に示すように、ヒートパイプ２０は、バックライト基板８をその長辺と平行な直線で分割して得られる２つの領域のうちの何れか一方の領域にのみ配置されている。
【００５７】
〔付記事項〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００５８】
本発明は、例えば、以下のように表現することもできる。
１．液晶パネルの下部に配置され、前記液晶パネルの後面から光を照射する直下型バックライトユニットにおいて、基板上に形成された複数の光源領域を有し、ＬＥＤ光源部に少なくとも一つのＬＥＤを備え、前記基板上に形成された、前記ＬＥＤ光源部の光源領域の間に配置された実装表面に、ヒートシンクを形成する液晶表示装置用のバックライトユニット。
【００５９】
２．１に記載のヒートシンクは、可視光領域：３６０ｎｍ〜８３０ｎｍにおいて、反射率８０％以上を満たす材料で形成されている事を特徴とするバックライトユニット。
【００６０】
３．１に記載のヒートシンクの材料は、Ｃｕ（銅）、Ａｌ（アルミ）を用いるバックライトユニット。
【００６１】
４．１に記載のヒートシンクの材料は、Ｃｕ（銅）、Ａｌ（アルミ）を表面コーティングして用いるバックライトユニット。
【００６２】
５．１に記載のヒートシンクの基板表面からの高さは、５ｍｍ以下とするバックライトユニット。
【００６３】
６．１に記載のヒートシンクの配置は、表面基板上において、横または縦方向に延長するバックライトユニット。
【００６４】
７．１に記載のヒートシンクの配置は、表面基板上において、マトリクス上に配置バックライトユニット。
【００６５】
８．１に記載のヒートシンクの配置は、表面基板上において、上側半分に横または、縦方向に延長するバックライトユニット。
【００６６】
９．１に記載のヒートシンクの配置は、表面基板上において、基板最外周に配置するバックライトユニット。
【００６７】
１０．１に記載のヒートシンクにヒートパイプを用いるバックライトユニット。
【００６８】
１１．１０に記載のヒートパイプの配置は、表面基板上において、横または縦方向に延長し、放熱（擬縮）部をバックライトユニット外に設置するバックライトユニット。
【００６９】
１２．１０に記載のヒートパイプの配置は、表面基板上において、ヒート接続部分を横または縦方向に延長し、バックライトユニット外にヒートシンク（フィン）を設置するバックライトユニット。
【００７０】
１３．液晶パネルの下部に配置され、前記液晶パネルの後面から光を照射する直下型バックライトユニットにおいて、基板上に形成された複数の光源領域を有し、ＬＥＤ光源部に少なくとも一つのＬＥＤを備え、前記基板上に形成された、前記ＬＥＤ光源部の光源領域の間に配置された実装表面に、１箇所以上のＬＥＤを囲む遮光壁にヒートシンクを材料として形成するバックライトユニット。
【００７１】
１４．１３に記載の遮光壁の材料は、光の反射率５０％以下のものを用いるバックライトユニット。
【００７２】
１５．１３に記載のヒートシンクの基板表面からの高さは、１０ｍｍ以上とするバックライトユニット。
【産業上の利用可能性】
【００７３】
本発明のバックライトユニットは、バックライトユニット一般に対して広く適用することができ、特に液晶表示装置用のバックライトユニットに適用することができる。
【図面の簡単な説明】
【００７４】
【図１】本発明の実施形態を示すものであり、液晶表示装置の構成を示す断面図である。
【図２】本発明の実施形態を示すものであり、放熱板の高さに対するバックライトユニット上の光量分布を示すグラフである。
【図３】本発明の実施形態を示すものであり、バックライト基板上における放熱板の配置態様を示す平面図である。
【図４】本発明の実施形態を示すものであり、バックライト基板内における温度差について説明する図である。（ａ）はバックライト基板鉛直方向における空気の温度差を示す図であり、（ｂ）はバックライトの基板温度を示す図である。
【図５】本発明の実施形態を示すものであり、ヒートパイプの構成を示す断面図である。（ａ）はフィンを備えていないヒートパイプを示す断面図であり、（ｂ）はフィンを備えたヒートパイプを示す断面図である。
【図６】本発明の実施形態を示すものであり、（ａ）〜（ｇ）はバックライト基板上におけるヒートパイプの配置態様を示す平面図であり、（ｈ）はヒートパイプの接続を示す図である。
【図７】従来技術を示すものであり、（ａ）は液晶パネルに表示すべき画像の明暗分布を示す図であり、（ｂ）はＬＥＤの点灯状態を示す図であり、（ｃ）はバックライトユニット上の光量分布を示す図である。
【符号の説明】
【００７５】
１        液晶表示装置
２        液晶パネル
４        光学シート
６        バックライトユニット
８        バックライト基板
１０      ＬＥＤ
１２      回路部
１４      放熱板
２０      ヒートパイプ
２１      入熱部
２２      放熱部
２３      接続部
２４      フィン
【図１】
2010129359.tif 000003
【図２】
2010129359.tif 000004
【図３】
2010129359.tif 000005
【図４】
2010129359.tif 000006
【図５】
2010129359.tif 000007
【図６】
2010129359.tif 000008
【図７】
2010129359.tif 000009